(57)【要約】【課題】発熱を伴う機能回路を搭載した定電流駆動方式によるインクジェット記録ヘッドにおいて、記録時に機能回路の発熱による昇温でヘッド基板内に温度ムラが生じ、これが原因となり、ノズル毎のインク吐出量が変化し、記録画像の品質が劣化する。【解決手段】発熱を伴う定電流源や基準電流回路などの機能回路の少なくとも一部を、複数のノズルから構成される列に沿ってレイアウトする。さらに、ノズル列方向と平行にノズル列間に定電流源がレイアウトするようにしても良い。【選択図】  図５
2010131862.tif 000002
【特許請求の範囲】
【請求項１】
スリット形状のインク供給口と、前記インク供給口の長手方向に沿って配列された複数のヒータと、前記配列された複数のヒータの列に沿って配列された前記複数のヒータを定電流駆動する複数のスイッチング素子と、前記複数のスイッチング素子の定電流駆動を制御する機能回路とを備えたインクジェット記録ヘッドのためのヘッド基板であって、
前記複数の記録素子と前記複数のスイッチング素子とを配列した方向に沿って、前記機能回路の少なくとも一部を配置することを特徴とするヘッド基板。
【請求項２】
前記機能回路は、
前記複数のスイッチング素子に定電流を供給する複数の定電流源と、
前記複数の定電流源に基準電流を供給する基準電流回路とを備えることを特徴とする請求項１に記載のヘッド基板。
【請求項３】
前記複数の定電流源を前記複数のヒータと前記複数のスイッチング素子とを配列した方向に沿って配置することを特徴とする請求項２に記載のヘッド基板。
【請求項４】
前記基準電流回路をさらに前記複数のヒータと前記複数のスイッチング素子とを配列した方向に沿って配置することを特徴とする請求項３に記載のヘッド基板。
【請求項５】
前記基準電流回路は、前記複数のヒータと前記複数のスイッチング素子とを配列した方向とは垂直の方向に沿い、前記ヘッド基板の端部に配置することを特徴とする請求項３に記載のヘッド基板。
【請求項６】
前記インク供給口を複数、備え、
前記複数のインク供給口それぞれの長手方向に沿って、前記複数のヒータの列と前記複数のスイッチング素子の列と、前記機能回路の少なくとも一部が配置されることを特徴とする請求項１乃至６のいずれか１項に記載のヘッド基板。
【請求項７】
請求項１乃至６のいずれか１項に記載のヘッド基板と、
前記複数のヒータそれぞれに対応した複数のインク吐出口とを備えたオリフィス基板とを有するインクジェット記録ヘッド。
【発明の詳細な説明】
【技術分野】
【０００１】
本発明はヘッド基板及びインクジェット記録ヘッドに関する。
【背景技術】
【０００２】
インクジェット記録方法は、発熱抵抗素子や圧電素子を使い液滴を吐出口から吐出させ、記録媒体上の所定位置にその液滴を付着させることで画像を形成する方法である。このため、インクジェット記録ヘッド（以下、記録ヘッド）のヘッド基板には各吐出口に対応した発熱抵抗素子や圧電素子が配置されている。そして、入力画像データに応じて選択的に、これらの素子から吐出エネルギーを発生させ、このエネルギーによりインク液滴を吐出している。
【０００３】
このような記録ヘッドはさらなる高速化を目指し、多ノズル化が進んでいる。
【０００４】
このノズルに関しては現在、Ａ３サイズの記録媒体に画像を記録する記録装置に搭載する記録ヘッドで１列最大５１２ノズルまで多ノズル化が行われている。
【０００５】
さて、多ノズル化にともない、少ない数のノズルからインクを吐出したときと、多数のノズルからインクを吐出させたときにヘッド基板に配置された電源配線の電圧降下による電流値の差、発熱抵抗素子（ヒータ）のバラツキが弊害となっている。この弊害の対策として、例えば、ヒータに流す定電流を調整することで、この弊害を緩和させる定電流調整回路が、例えば、特許文献１や特許文献２で提案されている。
【０００６】
図８はｘ個のヒータを収容するグループがｍ個で構成される（ｘ×ｍ）個のヒータを定電流駆動するヘッド基板の回路構成を示す図である。
【０００７】
図８に示すように、ｍ個グループ１１００−１〜１１００−ｍには夫々、ｘ個のヒータ１１０１−１１……とこれを駆動するスイッチング素子１１０２−１１……が備えられている。
【０００８】
このヘッド基板の定電流駆動回路は、図８に示すように、大きくわけて、基準電圧回路１０１、電流調整回路１０２、基準電流回路１０３、及び定電流源ブロック１０４とから構成されている。基準電圧回路１０１では、基準電圧（Ｖref）を生成する。電流調整回路１０２は、基準電圧回路１０１の出力である基準電圧（Ｖref）をもとに、デジタル入力データに応じた可変電流出力を生成する。基準電流回路１０３は、カレントミラー回路で構成されており基準電流（Ｉref）を生成する。
【０００９】
定電流源ブロック１０４は定電流源であるカレントミラー回路１０６−１〜１０６−ｍによって基準電流（Ｉref）と比例した定電流Ｉｈ１〜Ｉｈｍを出力し、ヒータ１１０１−１１〜１１０１−ｍｘに供給する。
【００１０】
これらのカレントミラー回路はＭＯＳトランジスタで構成される。
【００１１】
基準電流回路１０３からは基準電流が定電流源ブロック１０４のみならず、同様の構成の他の定電流ブロック１０４ａ、１０４ｂ、１０４ｃにも供給される。
【００１２】
電流調整回路１０２は外部からクロック信号ＣＬＫに同期して記録データ信号ＤＡＴＡを入力するシフトレジスタ（Ｓ／Ｒ）１０２ａとラッチ信号ＬＴにより記録データ信号ＤＡＴＡをラッチするラッチ回路（Ｌａｔｃｈ）１０２ｂを備えている。
【００１３】
さらに、電流調整回路１０２は、Ｒ−２Ｒの抵抗配列とＭＯＳトランジスタとからなる電流可変回路のブロックを含む。
【００１４】
シフトレジスタ（Ｓ／Ｒ）１０２ａとラッチ回路（Ｌａｔｃｈ）１０２ｂとによりシリアル−パラレル変換された記録データ信号は電流可変回路に出力される。
【００１５】
電流可変回路は、抵抗と、スイッチとして作用するＭＯＳトランジスタとで構成されている。そして、抵抗値を“Ｒ”とする（ｎ＋１）個の抵抗ｒa1〜ｒan+1は接地端（ＧＮＤ）を一端として直列に接続される。一方、抵抗ｒa1〜ｒan+1の２倍の抵抗値“２Ｒ”を有する抵抗ｒb1〜ｒbnの一端は、抵抗ｒa1〜ｒanの各接続点に接続される。また、他端はＭＯＳトランジスタ１０２−１ａ〜１０２−ｎａ、及び１０２−１ｂ〜１０２ｎｂの各ソースにそれぞれ接続される。
【００１６】
ＭＯＳトランジスタ１０２−１ａ〜１０２−ｎａ及びＭＯＳトランジスタ１０２−１ｂ〜１０２ｎｂの各ドレインは夫々、基準電流出力端（Ｉref）及び基準電圧（Ｖref）に接続される。一方、ＭＯＳトランジスタ１０２−１ａ〜１０２ｎａのゲートにはラッチ回路１０２ｂからのデジタル信号が与えられる。ＭＯＳトランジスタ１０２−１ａ〜１０２ｎａと対をなすＭＯＳトランジスタ１０２−１ｂ〜１０２ｎｂのゲートにはラッチ回路１０２ｂからの信号をインバータ１０２ｃにより反転した出力が接続される。
【００１７】
ＭＯＳトランジスタ１０２−１ａ〜１０２−ｎａ及びＭＯＳトランジスタ１０２−１ｂ〜１０２ｎｂはソースおよびドレイン間をオン／オフするスイッチとして機能し、ラッチ回路１０２ｂからのデジタル信号により制御される。
【００１８】
オペアンプ１０２ｄはその正転入力端子（＋）が基準電圧（Ｖref）及びＭＯＳトランジスタ１０２−１ｂ〜１０２−ｎｂのドレインに接続される。そして、その反転入力端子（−）がＭＯＳトランジスタ１０２−１ａ〜１０２−ｎａのドレイン端子及び出力用のＭＯＳトランジスタ１０２ｅのソースに接続される。なお、オペアンプ１０２ｄの出力はＭＯＳトランジスタ１０２ｅのゲートに接続される。そして、ＭＯＳトランジスタ１０２ｅのドレインは電流（Ｉref）の出力端子となり、基準電流回路１０３に出力される。
【００１９】
また、オペアンプ１０２ｄの反転入力端子（−）には、その信号電位が正転入力端子（＋）に接続された基準電圧（Ｖref）と同電位となるような出力用のＭＯＳトランジスタ１０２ｅのソース出力が入力される。オペアンプ１０２ｄの出力は出力用のＭＯＳトランジスタ１０２ｅのゲートに入力され、そのソース出力を制御している。その結果、オペアンプ１０２ｄの反転入力端子（−）に接続されるＭＯＳトランジスタ１０２−１ａ〜１０２−ｎａのドレインにも基準電圧（Ｖref）が印加される。
【００２０】
一方、ＭＯＳトランジスタ１０２−１ｂ〜１０２−ｎｂのドレインには基準電圧（Ｖref）が入力される。ＭＯＳトランジスタ１０２−１ａ〜１０２ｎａ及びＭＯＳトランジスタ１０２−１ｂ〜１０２ｎｂは図８に示されるように、夫々対をなしており、そのＭＯＳトランジスタ対のゲートはインバータ１０２ｃを介して接続される。このため、抵抗ｒb1〜ｒbn夫々に接続されるＭＯＳトランジスタ対のいずれかが常にオンとなる。
【００２１】
ここで、ＭＯＳトランジスタ１０２−１ａ〜１０２−ｎａ及びＭＯＳトランジスタ１０２−１ｂ〜１０２−ｎｂがオン時のソース−ドレイン間の抵抗が、抵抗ｒb1〜ｒbnの抵抗値（２Ｒ）に対して無視できるほど小さいとする。すると、常に抵抗ｒb1〜ｒbnの一端には、ＭＯＳトランジスタ１０２−１ａ〜１０２−ｎａまたはＭＯＳトランジスタ１０２−１ｂ〜１０２ｎｂを介して、基準電圧（Ｖref）が印加される。
【００２２】
ここで、抵抗ｒb1〜ｒbnに流れる電流Ｉ1〜Ｉnは夫々、Ｉ1＝Ｖref／（２×Ｒ）、Ｉ２＝Ｖref／（２×２×Ｒ）、……、Ｉｎ＝Ｖref／（２n×Ｒ）となる。
【００２３】
さて、ＭＯＳトランジスタ１０２−１ａ〜１０２−ｎａの内、デジタル入力信号のオン信号に対応したＭＯＳトランジスタからは上述した電流Ｉ１〜Ｉｎの内の対応部分の合計が電流出力端子（Ｉout）に出力される。
【００２４】
上述のように、Ｉ１〜Ｉｎ各電流は１／２づつ重みづけされた電流である。このため、ＭＯＳトランジスタ１０２−１ａ〜１０２−ｎａに対して入力される任意のデジタル信号により２n種類の値をもつ電流を電流出力端子（Ｉout）より出力することができる。言い換えると、出力される基準電流（Ｉref）は０〜Ｖref／Ｒの範囲で２nの段階で可変である。
【００２５】
なお、ＭＯＳトランジスタ１０２ｅのソースとＧＮＤ間に抵抗値（Ｒ１）の抵抗Ｒoffを接続することで、抵抗Ｒoffの両端にＶrefが印加され、Ｖref／Ｒ１の電流を常に流すことができる。従って、電流の可変範囲にＶref／Ｒ１のオフセットをつけることができ、基準電流（Ｉref）の可変範囲はＶref／Ｒ１〜Ｖref／Ｒ１＋Ｖref／Ｒとできる。
【００２６】
しかし、定電流調整回路は、基準電流回路１０３のカレントミラー回路の発熱と、定電流源ブロック１０４のヒータのグループ毎にあるｍ個の定電流源のカレントミラー回路の発熱により基準電流回路のおよそ１０倍の発熱を伴う。このため、記録時には、ヘッド基板内が部分的に昇温している。例えば、ｎ列のノズルで、１列にｘ個のヒータのグループがｍ個あった場合、カレントミラー回路の数は、基準電流回路ではｎ個、定電流源ブロックではｎ×ｍ個必要である。発熱量の比は、基準電流回路の発熱：電流源ブロックの発熱＝１：１０×ｍとなる。
【特許文献１】特開２００２−３４８７２５号公報
【特許文献２】特願２００４−１５８０３０号公報
【発明の開示】
【発明が解決しようとする課題】
【００２７】
図９は従来の記録ヘッドにおいて、発熱を伴う機能回路（例えば、基準電流回路）を搭載した代表的なレイアウトの例を示す図である。
【００２８】
このレイアウト構成では、図９（ａ）に示すように、夫々が複数のノズルから構成される２つのノズル列が液体供給口（インク供給口）を挟んで対向する構成となっている。
【００２９】
さて、ヒータやスイッチング素子を備えたヘッド基板はＳｉでできており、熱伝導性が高いことが知られている。図９（ａ）に示すレイアウト構成では、液体供給口としてＳｉヘッド基板にスリットが入っているためノズル列間の温度が均一に伝わりづらい。従って、図９（ａ）に示すように、発熱を伴う機能回路がヘッド基板の端部に配置されている場合、記録時に発熱を生じる回路の昇温により、ノズル列方向Ｘ−Ｙのヘッド基板表面の温度分布にはノズル列外側は高く、内側は低くなり、温度ムラが生じる。
【００３０】
このような温度ムラは、ノズル毎の液滴の温度ムラにつながる。このムラは、ノズル毎のインク吐出量に変化を生じさせる。例えば、記録ヘッドが複数色のインクを吐出してカラー記録を行なう場合には、色ムラが起き、画像劣化につながる。この問題は機能回路の発熱量が大きくなればなるほど、または、記録の高速化のためにノズル列を長くすればするほど、ヘッド基板のノズル列の温度勾配が大きくなり色ムラが顕在化しやすくなる。
【００３１】
本発明は上記従来例に鑑みてなされたもので、温度ムラを低減させることが可能なヘッド基板とこれを用いた記録ヘッドとを提供することを目的とする。
チップ内のことが本発明の目的である。
【課題を解決するための手段】
【００３２】
上記目的を達成するために本発明のヘッド基板は、以下のような構成からなる。
【００３３】
即ち、スリット形状のインク供給口と、前記インク供給口の長手方向に沿って配列された複数のヒータと、前記配列された複数のヒータの列に沿って配列された前記複数のヒータを定電流駆動する複数のスイッチング素子と、前記複数のスイッチング素子の定電流駆動を制御する機能回路とを備えたインクジェット記録ヘッドのためのヘッド基板であって、前記複数の記録素子と前記複数のスイッチング素子とを配列した方向に沿って、前記機能回路の少なくとも一部を配置することを特徴とする。
【００３４】
また他の発明によれば、上記構成のヘッド基板と、前記複数の記録素子それぞれに対応した複数のインク吐出口とを備えたオリフィス基板とを有するインクジェット記録ヘッドを備える。
【発明の効果】
【００３５】
従って本発明によれば、発熱を伴う機能回路を複数のヒータとこれらを駆動する複数のスイッチング素子の列に沿ってレイアウトすることで、ヒータ周辺の温度が均一になるという効果がある。これにより、ヒータ列方向に偏った温度分布が解消され、良好な記録を行なうことができる。例えば、インク吐出するインクジェット記録ヘッドであるなら、インク吐出量が安定になり高品位な画像記録が実現できる。
【発明を実施するための最良の形態】
【００３６】
以下添付図面を参照して本発明の好適な実施例について、さらに具体的かつ詳細に説明する。なお、既に説明した部分には同一符号を付し重複説明を省略する。
【００３７】
なお、この明細書において、「記録」（「プリント」という場合もある）とは、文字、図形等有意の情報を形成する場合のみならず、有意無意を問わない。さらに人間が視覚で知覚し得るように顕在化したものであるか否かも問わず、広く記録媒体上に画像、模様、パターン等を形成する、または媒体の加工を行う場合も表すものとする。
【００３８】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００３９】
さらに、「インク」（「液体」と言う場合もある）とは、上記「記録（プリント）」の定義と同様広く解釈されるべきものである。従って、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００４０】
またさらに、「記録要素」とは、特にことわらない限り吐出口ないしこれに連通する液路およびインク吐出に利用されるエネルギーを発生する素子を総括して言うものとする。
【００４１】
以下に用いるヘッド基板とは、シリコン半導体からなる単なる基体を指し示すものではなく、各素子や配線等が設けられた構成を差し示すものである。
【００４２】
さらに、基板上とは、単に素子基板の上を指し示すだけでなく、素子基板の表面、表面近傍の素子基板内部側をも示すものである。また、本発明でいう「作り込み」とは、別体の各素子を単に基体表面上に別体として配置することを指し示している言葉ではなく、各素子を半導体回路の製造工程等によって素子板上に一体的に形成、製造することを示すものである。
【００４３】
＜インクジェット記録装置の説明（図１）＞
図１は本発明の代表的な実施例であるインクジェット記録装置１の構成の概要を示す外観斜視図である。
【００４４】
図１に示すように、インクジェット記録装置（以下、記録装置）はインクジェット方式に従ってインクを吐出して記録を行なうインクジェット記録ヘッド（以下、記録ヘッド）３をキャリッジ２に搭載し、キャリッジ２を矢印Ａ方向に往復移動させて記録を行う。記録紙などの記録媒体Ｐを給紙機構５を介して給紙し、記録位置まで搬送し、その記録位置において記録ヘッド３から記録媒体Ｐにインクを吐出することで記録を行なう。
【００４５】
記録装置１のキャリッジ２には記録ヘッド３を搭載するのみならず、記録ヘッド３に供給するインクを貯留するインクカートリッジ６を装着する。インクカートリッジ６はキャリッジ２に対して着脱自在になっている。
【００４６】
図１に示した記録装置１はカラー記録が可能であり、そのためにキャリッジ２にはマゼンタ（Ｍ）、シアン（Ｃ）、イエロ（Ｙ）、ブラック（Ｋ）のインクを夫々、収容した４つのインクカートリッジを搭載している。これら４つのインクカートリッジは夫々独立に着脱可能である。
【００４７】
この実施例の記録ヘッド３は、熱エネルギを利用してインクを吐出するインクジェット方式を採用している。このため、電気熱変換体を備えている。この電気熱変換体は各吐出口のそれぞれに対応して設けられ、記録信号に応じて対応する電気熱変換体にパルス電圧を印加することによって対応する吐出口からインクを吐出する。
【００４８】
＜インクジェット記録装置の制御構成（図２）＞
図２は図１に示した記録装置の制御構成を示すブロック図である。
【００４９】
図２に示すように、コントローラ６００は、ＭＰＵ６０１、ＲＯＭ６０２、特殊用途集積回路（ＡＳＩＣ）６０３、ＲＡＭ６０４、システムバス６０５、Ａ／Ｄ変換器６０６などで構成される。ここで、ＲＯＭ６０２は後述する制御シーケンスに対応したプログラム、所要のテーブル、その他の固定データを格納する。ＡＳＩＣ６０３は、キャリッジモータＭ１の制御、搬送モータＭ２の制御、及び、記録ヘッド３の制御のための制御信号を生成する。ＲＡＭ６０４は、画像データの展開領域やプログラム実行のための作業用領域等として用いられる。システムバス６０５は、ＭＰＵ６０１、ＡＳＩＣ６０３、ＲＡＭ６０４を相互に接続してデータの授受を行う。Ａ／Ｄ変換器６０６は以下に説明するセンサ群からのアナログ信号を入力してＡ／Ｄ変換し、デジタル信号をＭＰＵ６０１に供給する。
【００５０】
また、図２において、６１０は画像データの供給源となるコンピュータ（或いは、画像読取り用のリーダやデジタルカメラなど）でありホスト装置と総称される。ホスト装置６１０と記録装置１との間ではインタフェース（Ｉ／Ｆ）６１１を介して画像データ、コマンド、ステータス信号等を送受信する。この画像データは、例えば、ラスタ形式で入力される。
【００５１】
さらに、６２０はスイッチ群であり、電源スイッチ６２１、プリントスイッチ６２２、回復スイッチ６２３などから構成される。
【００５２】
６３０は装置状態を検出するためのセンサ群であり、位置センサ６３１、温度センサ６３２等から構成される。
【００５３】
さらに、６４０はキャリッジ２を矢印Ａ方向に往復走査させるためのキャリッジモータＭ１を駆動させるキャリッジモータドライバ、６４２は記録媒体Ｐを搬送するための搬送モータＭ２を駆動させる搬送モータドライバである。
【００５４】
ＡＳＩＣ６０３は、記録ヘッド３による記録走査の際に、ＲＡＭ６０４の記憶領域に直接アクセスしながら記録ヘッドに対して記録素子（吐出用のヒータ）を駆動するためのデータを転送する。
【００５５】
図３は記録ヘッド３の構成を模式的に表した図である。
【００５６】
図３において、（ａ）は記録ヘッドの３次元的な構成を模式的に表した部分破断斜視図であり、（ｂ）は記録ヘッドのインク吐出面を示す図である。
【００５７】
記録ヘッド３は、図３（ａ）に示すように、電気熱変換素子が設けられたヘッド基板と、そのヘッド基板の主面に積層されて接合されて複数のインクの流路を構成するオリフィス基板とを備えている。また、記録ヘッド３は、図３（ａ）と図３（ｂ）に示すように、複数の電気熱変換素子と複数のノズルを有し、複数のノズルが一列に配列されたノズル列１と、インク供給口を挟んでノズル列１に対向する位置に平行に配列されたノズル列２とを備えている。
【００５８】
インクはインク供給口から液体供給路を経て、発泡室および吐出口に充填される。そして、インクは電気熱変換素子で瞬時に沸騰させられ生じた気液相変化による急激な発泡圧によって、吐出口からインク滴が吐出される。
【００５９】
なお、図１に示す構成は、インクカートリッジ６と記録ヘッド３とが分離可能な構成であるが、これらが一体的に形成されて交換可能なヘッドカートリッジを構成しても良い。
【００６０】
図４は、インクタンクと記録ヘッドとが一体的に形成されたヘッドカートリッジＩＪＣの構成を示す外観斜視図である。図４において、点線ＫはインクタンクＩＴと記録ヘッドＩＪＨの境界線である。ヘッドカートリッジＩＪＣにはこれがキャリッジ２に搭載されたときには、キャリッジ２側から供給される電気信号を受け取るための電極（不図示）が設けられており、この電気信号によって、前述のように記録ヘッドＩＪＨが駆動されてインクが吐出される。
【００６１】
なお、図４において、５００はインク吐出口列である。
【００６２】
次に、以上の構成の記録装置と記録ヘッドに用いられるヘッド基板のいくつかの実施例について説明する。
【実施例１】
【００６３】
図５は本発明の実施例１に従うヘッド基板のレイアウトを示すブロック図である。
【００６４】
図５に示すように、このヘッド基板はスリット形状のインク供給口１００を挟み、その長手方向に沿って対称に（ｘ×ｍ）個のヒータ１１０１−１１〜１１０１−ｍｘとヒータへの通電を制御するスイッチング素子１１０２−１１〜１１０２−ｍｘを備える。（ｘ×ｍ）個のヒータと（ｘ×ｍ）個のスイッチング素子は、夫々がｘ個ずつのヒータとスイッチング素子を収容したｍ個のグループで構成される。そして、発熱を伴う機能回路である定電流源１０６−１〜１０６−ｍはヒータ近傍に配置される。
【００６５】
図６は、図５に示したレイアウト構成を模式的に示す図である。この例では、発熱を伴う機能回路として定電流源が示されている。
【００６６】
図６（ａ）に示すように、ノズル列方向と平行にノズル列と同程度の長さに定電流源をノズル列間にレイアウトすることで、図６（ｂ）に示すようにノズル列方向Ｘ−Ｙのヘッド基板表面の温度分布は均一にすることができる。また、発熱を伴う機能回路として基準電流回路もノズル列方向と平行にノズル列間にレイアウトするとさらに効果的である。
【００６７】
従って以上説明した実施例に従えば、機能回路の少なくとも一部をノズル列間にレイアウトするので、従来のヘッド基板で生じていたノズル列方向の温度ばらつきを低減することができる。なお、このような効果は、機能回路の発熱量が大きければ大きいほど顕著になる。
【実施例２】
【００６８】
図７は本発明の実施例２に従うヘッド基板のレイアウト構成を模式的に示す図である。
【００６９】
図７に示す構成では、ノズル列方向と垂直に基準電流回路がヘッド基板の端部にレイアウトされ、ノズル列方向と平行にノズル列間に定電流源がレイアウトされている。
【００７０】
このように定電流駆動回路を分散して配置することは、他の回路をノズル列間に配置したいなどの理由で、ノズル列間に定電流駆動回路の占める空間を増やしたくない場合に有効である。しかしながら、この構成でも、ノズル列方向と平行にノズル列間に定電流源がレイアウトされるので、ヘッド基板の温度ばらつきを均一にすることには貢献する。
【００７１】
なお、以上の実施例において、記録装置に適用される記録ヘッドから吐出される液滴はインクであるとして説明し、さらにインクタンクに収容される液体はインクであるとして説明したが、その収容物はインクに限定されるものではない。
【００７２】
また、以上の実施例は、特にインクジェット記録方式の中でも、インク吐出を行わせるために利用されるエネルギーとして熱エネルギーを発生する手段（例えば電気熱変換体等）を備えている。そのため、その熱エネルギーによりインクの状態変化を生起させる方式を用いることにより記録の高密度化、高精細化が達成できる。
【００７３】
さらに加えて、本発明のインクジェット記録装置の形態としては、コンピュータ等の情報処理機器の画像出力装置として用いられるものの他、リーダ等と組合せた複写装置、さらには送受信機能を有するファクシミリ装置の形態を採るもの等であってもよい。
【図面の簡単な説明】
【００７４】
【図１】本発明の代表的な実施例であるインクジェット記録装置の構成の概要を示す外観斜視図である。
【図２】記録装置の制御回路の構成を示すブロック図である。
【図３】記録ヘッド３の構成を模式的に表した図である。
【図４】インクタンクと記録ヘッドとが一体的に形成されたヘッドカートリッジＩＪＣの構成を示す外観斜視図である。
【図５】本発明の実施例１に従うヘッド基板のレイアウトを示すブロック図である。
【図６】図５に示したレイアウト構成を模式的に示す図である。
【図７】本発明の実施例２に従うヘッド基板のレイアウト構成を模式的に示す図である。
【図８】ｘ個のヒータを収容するグループがｍ個で構成される（ｘ×ｍ）個のヒータを定電流駆動するヘッド基板の回路構成を示す図である。
【図９】従来のノズル列と機能回路のレイアウトの一例を示した平面図である。
【符号の説明】
【００７５】
３  記録ヘッド
１００  インク供給口
１１０１−１１〜１１０１−ｍｘ  ヒータ
１１０２−１１〜１１０２−ｍｘ  スイッチング素子
１０６−１〜１０６−ｍ  定電流源
【図１】
2010131862.tif 000003
【図２】
2010131862.tif 000004
【図３】
2010131862.tif 000005
【図４】
2010131862.tif 000006
【図５】
2010131862.tif 000007
【図６】
2010131862.tif 000008
【図７】
2010131862.tif 000009
【図８】
2010131862.tif 000010
【図９】
2010131862.tif 000011